【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
情報処理装置と、電子ファイルを表示する電子ファイル表示装置とを含む電子ファイル表示システムであって、
前記情報処理装置は、
操作画面と当該操作画面に対応するコード画像とを表示する第１の表示手段を備え、
前記電子ファイル表示装置は、
前記コード画像を読み取る読取手段と、
前記読取手段が読み取った前記コード画像に基づいて、電子ファイルの表示すべき特定ページを決定する決定手段と、
複数ページで構成される電子ファイルのうち、前記決定手段によって決定された前記特定ページを表示する第２の表示手段とを備えることを特徴とする電子ファイル表示システム。
【請求項２】
前記電子ファイル表示システムはサーバを更に含み、
前記電子ファイル表示装置は、
前記前記読取手段が読み取った前記コード画像から識別情報を取得する第１の取得手段と、
前記第１の取得手段が取得した前記識別情報に基づいて、電子ファイルの表示すべき特定ページを決定するためのページ情報を前記サーバから取得する第２の取得手段とを更に備え、
前記決定手段は、前記第２の取得手段が取得した前記ページ情報に基づいて、電子ファイルの表示すべき特定ページを決定することを特徴とする請求項１に記載の電子ファイル表示システム。
【請求項３】
前記第２の取得手段は、前記第１の取得手段が取得した前記識別情報に基づいて、表示対象の電子ファイルを更に前記サーバから取得し、
前記表示手段は、前記第２の取得手段が取得した前記電子ファイルのうち、前記決定手段によって決定された前記特定ページを表示することを特徴とする請求項２に記載の電子ファイル表示システム。
【請求項４】
情報処理装置と、電子ファイルを表示する電子ファイル表示装置とを含む電子ファイル表示システムであって、
前記情報処理装置は、
操作画面を表示する第１の表示手段と、
前記操作画面に対応する識別情報を前記情報処理装置に送信する無線通信手段とを備え、
前記電子ファイル表示装置は、
前記無線通信手段によって送信された前記識別情報に基づいて、電子ファイルの表示すべき特定ページを決定する決定手段と、
複数ページで構成される電子ファイルのうち、前記決定手段によって決定された前記特定ページを表示する第２の表示手段とを備えることを特徴とする電子ファイル表示システム。
【請求項５】
前記電子ファイル表示システムはサーバを更に含み、
前記電子ファイル表示装置は、
前記無線通信手段によって送信された前記識別情報に基づいて、電子ファイルの表示すべき特定ページを決定するためのページ情報を前記サーバから取得する取得手段を更に備え、
前記決定手段は、前記取得手段が取得した前記ページ情報に基づいて、電子ファイルの表示すべき特定ページを決定することを特徴とする請求項４に記載の電子ファイル表示システム。
【請求項６】
前記取得手段は、前記無線通信手段によって送信された前記識別情報に基づいて、表示対象の電子ファイルを更に前記サーバから取得し、
前記表示手段は、前記取得手段が取得した前記電子ファイルのうち、前記決定手段によって決定された前記特定ページを表示することを特徴とする請求項５に記載の電子ファイル表示システム。
【請求項７】
前記決定手段によって決定された前記特定ページは、前記電子ファイルを表示する際の初期画面として表示されることを特徴とする請求項１乃至６のいずれか１項に記載の電子ファイル表示システム。
【請求項８】
前記電子ファイルは前記情報処理装置のマニュアルであることを特徴とする請求項１乃至７のいずれか１項に記載の電子ファイル表示システム。
【請求項９】
電子ファイルを表示する電子ファイル表示装置であって、
情報処理装置が表示するコード画像を読み取る読取手段と、
前記読取手段が読み取った前記コード画像に基づいて、電子ファイルの表示すべき特定ページを決定する決定手段と、
複数ページで構成される電子ファイルのうち、前記決定手段によって決定された前記特定ページを表示する表示手段とを備えることを特徴とする電子ファイル表示装置。
【請求項１０】
前記電子ファイル表示装置はサーバと通信可能であり、
前記電子ファイル表示装置は、
前記前記読取手段が読み取った前記コード画像から識別情報を取得する第１の取得手段と、
前記第１の取得手段が取得した前記識別情報に基づいて、電子ファイルの表示すべき特定ページを決定するためのページ情報を前記サーバから取得する第２の取得手段とを更に備え、
前記決定手段は、前記第２の取得手段が取得した前記ページ情報に基づいて、電子ファイルの表示すべき特定ページを決定することを特徴とする請求項９に記載の電子ファイル表示装置。
【請求項１１】
前記第２の取得手段は、前記第１の取得手段が取得した前記識別情報に基づいて、表示対象の電子ファイルを更に前記サーバから取得し、
前記表示手段は、前記第２の取得手段が取得した前記電子ファイルのうち、前記決定手段によって決定された前記特定ページを表示することを特徴とする請求項１０に記載の電子ファイル表示装置。
【請求項１２】
電子ファイルを表示する電子ファイル表示装置であって、
情報処理装置が表示する操作画面に対応する識別情報を、前記情報処理装置から受信する無線通信手段と、
前記無線通信手段が受信した前記識別情報に基づいて、電子ファイルの表示すべき特定ページを決定する決定手段と、
複数ページで構成される電子ファイルのうち、前記決定手段によって特定された前記特定ページを表示する表示手段とを備えることを特徴とする電子ファイル表示装置。
【請求項１３】
前記電子ファイル表示装置はサーバと通信可能であり、
前記電子ファイル表示装置は、
前記無線通信手段が受信した前記識別情報に基づいて、電子ファイルの表示すべき特定ページを決定するためのページ情報を前記サーバから取得する取得手段を更に備え、
前記決定手段は、前記取得手段が取得した前記ページ情報に基づいて、電子ファイルの表示すべき特定ページを決定することを特徴とする請求項１２に記載の電子ファイル表示装置。
【請求項１４】
前記取得手段は、前記無線通信手段が受信した前記識別情報に基づいて、表示対象の電子ファイルを更に前記サーバから取得し、
前記表示手段は、前記取得手段が取得した前記電子ファイルのうち、前記決定手段によって決定された前記特定ページを表示することを特徴とする請求項１３に記載の電子ファイル表示装置。
【請求項１５】
前記電子ファイルは、前記情報処理装置のマニュアルであることを特徴とする請求項９乃至１４のいずれか１項に記載の電子ファイル表示装置。
【請求項１６】
前記表示手段は、前記電子ファイルを表示する際の初期画面として、前記決定手段によって決定された前記特定ページを表示することを特徴とする請求項９乃至１５のいずれか１項に記載の電子ファイル表示装置。
【請求項１７】
電子ファイルの表示方法であって、
情報処理装置が表示するコード画像を読み取る読取ステップと、
前記読取ステップで読み取った前記コード画像に基づいて、電子ファイルの表示すべき特定ページを決定する決定ステップと、
複数ページで構成される電子ファイルのうち、前記決定ステップで決定された前記特定ページを表示する表示ステップとを有することを特徴とする電子ファイルの表示方法。
【請求項１８】
電子ファイルの表示方法であって、
情報処理装置が表示する操作画面に対応する識別情報を、前記情報処理装置から受信する無線通信ステップと、
前記無線通信ステップで受信した前記識別情報に基づいて、電子ファイルの表示すべき特定ページを決定する決定ステップと、
複数ページで構成される電子ファイルのうち、前記決定ステップで決定された前記特定ページページを表示する表示ステップとを有することを特徴とする電子ファイルの表示方法。
【請求項１９】
請求項１７又は１８に記載の電子ファイルの表示方法をコンピュータに実行させるためのプログラム。
【手続補正２】
【補正対象書類名】明細書
【補正対象項目名】発明の名称
【補正方法】変更
【補正の内容】
【発明の名称】電子ファイル表示システム、電子ファイル表示装置、電子ファイルの表示方法、及びプログラム
【手続補正３】
【補正対象書類名】明細書
【補正対象項目名】０００１
【補正方法】変更
【補正の内容】
【０００１】
本発明は、電子ファイル表示システム、電子ファイル表示装置、電子ファイルの表示方法、及びプログラムに関する。
【手続補正４】
【補正対象書類名】明細書
【補正対象項目名】０００４
【補正方法】変更
【補正の内容】
【０００４】
以上のように、特許文献１では情報処理装置に対応した電子ファイル（例えばマニュアル）を簡単に取得することはできるが、ユーザはその電子ファイルの中から所望のページを検索する手間がかかってしまう。
本発明はかかる点に鑑み、ユーザが所望するページを検索する手間を軽減することを目的とする。
【手続補正５】
【補正対象書類名】明細書
【補正対象項目名】０００５
【補正方法】変更
【補正の内容】
【０００５】
上述した課題を解決するために、本発明が提供する電子ファイル表示システムは、情報処理装置と、電子ファイルを表示する電子ファイル表示装置とを含む電子ファイル表示システムであって、前記情報処理装置は、操作画面と当該操作画面に対応するコード画像とを表示する第１の表示手段を備え、前記電子ファイル表示装置は、前記コード画像を読み取る読取手段と、前記読取手段が読み取った前記コード画像に基づいて、電子ファイルの表示すべき特定ページを決定する決定手段と、複数ページで構成される電子ファイルのうち、前記決定手段によって決定された前記特定ページを表示する第２の表示手段とを備えることを特徴とする。
また、本発明が提供する電子ファイル表示システムは、情報処理装置と、電子ファイルを表示する電子ファイル表示装置とを含む電子ファイル表示システムであって、前記情報処理装置は、操作画面を表示する第１の表示手段と、前記操作画面に対応する識別情報を前記情報処理装置に送信する無線通信手段とを備え、前記電子ファイル表示装置は、前記無線通信手段によって送信された前記識別情報に基づいて、電子ファイルの表示すべき特定ページを決定する決定手段と、複数ページで構成される電子ファイルのうち、前記決定手段によって決定された前記特定ページを表示する第２の表示手段とを備えることを特徴とする。
【手続補正６】
【補正対象書類名】明細書
【補正対象項目名】０００６
【補正方法】変更
【補正の内容】
【０００６】
また、上述した課題を解決するために、本発明が提供する電子ファイル表示装置は、電子ファイルを表示する電子ファイル表示装置であって、情報処理装置が表示するコード画像を読み取る読取手段と、前記読取手段が読み取った前記コード画像に基づいて、電子ファイルの表示すべき特定ページを決定する決定手段と、複数ページで構成される電子ファイルのうち、前記決定手段によって決定された前記特定ページを表示する表示手段とを備えることを特徴とする。
また、本発明が提供する電子ファイル表示装置は、電子ファイルを表示する電子ファイル表示装置であって、情報処理装置が表示する操作画面に対応する識別情報を、前記情報処理装置から受信する無線通信手段と、前記無線通信手段が受信した前記識別情報に基づいて、電子ファイルの表示すべき特定ページを決定する決定手段と、複数ページで構成される電子ファイルのうち、前記決定手段によって特定された前記特定ページを表示する表示手段とを備えることを特徴とする。
【手続補正７】
【補正対象書類名】明細書
【補正対象項目名】０００７
【補正方法】変更
【補正の内容】
【０００７】
本発明によれば、ユーザが所望するページを検索する手間を軽減することができる。